(57)【要約】【課題】非同期モードから同期モードに切り替える際に生じる表示映像の乱れを抑制する。【解決手段】同期信号生成部４ａが内部垂直同期信号Ｓ１３を生成し、スイッチ５ａが入力垂直同期信号Ｓ１２および内部垂直同期信号Ｓ１３のいずれかを選択的に出力する。メモリ部２では、入力垂直同期信号Ｓ１２に基づいてデータがメモリ１に書き込まれ、スイッチ５ａの出力垂直同期信号Ｓ１５に基づいてメモリ１からデータが読み出される。制御部は、非同期同期モードから同期信号モードへの切替要求を受け付けると、垂直同期信号Ｓ１２、Ｓ１３の互いの位相が揃っているか否かを判定し、互いの位相が揃っていない場合には、入力垂直同期信号Ｓ１２に対する内部垂直同期信号Ｓ１３の位相の遅れ時間に基づいて、内部垂直同期信号Ｓ１３のブランキング期間を増大させた後、垂直同期信号Ｓ１２、Ｓ１３の互いの位相が揃ったタイミングでスイッチ５ａの入力切替を行わせる。【選択図】図１
2017169038.tif 000002
【特許請求の範囲】
【請求項１】
映像データを含む映像期間と映像データを含まないブランキング期間とを含むフレームより構成され、該フレーム単位に送信される映像信号と、前記フレームの切り替わりタイミングを示す第１の同期信号とが外部機器より供給される映像処理装置であって、
内部クロックに基づいて前記フレームの切り替わりタイミングおよび前記ブランキング期間をそれぞれ示す第２の同期信号を生成する同期信号生成部と、
前記第１および第２の同期信号をそれぞれ入力とし、該入力のいずれかを選択的に出力するスイッチと、
メモリを備え、前記第１の同期信号に基づいて前記映像信号により示されるデータが前記メモリに書き込まれ、前記スイッチの出力である出力同期信号に基づいて前記メモリからデータが読み出されるメモリ部と、
前記スイッチの同期信号の切り替え動作および前記同期信号生成部の同期信号の生成動作を制御する制御部と、を有し、
前記制御部は、前記スイッチの入力を前記第２の同期信号から前記第１の同期信号へ切り替える旨を示す第１の切替要求を受け付けると、前記第１および第２の同期信号の互いの位相が揃っているか否かを判定し、互いの位相が揃っていれば、前記スイッチの入力を前記第２の同期信号から前記第１の同期信号に切り替え、互いの位相が揃っていない場合には、前記第１の同期信号に対する前記第２の同期信号の位相の遅れ時間に基づいて、前記同期信号生成部にて生成される前記第２の同期信号の前記ブランキング期間を増大させた後、前記第１および第２の同期信号の互いの位相が揃ったタイミングで前記スイッチの入力を前記第２の同期信号から前記第１の同期信号に切り替える、映像処理装置。
【請求項２】
請求項１に記載の映像処理装置において、
前記制御部は、
前記第１および第２の同期信号の互いの位相が揃ったときにタイミング信号を出力する切替タイミング判定部と、
周波数の変更要求に応じて、前記第１および第２の同期信号それぞれの周波数と前記第１および第２の同期信号の位相差とに基づいて、前記位相差に相当する時間差を取得し、前記位相の遅れ時間を前記時間差で除算した値に基づいて、前記同期信号生成部にて生成される前記第２の同期信号の前記ブランキング期間を増大する同期信号設定部と、
前記第１の切替要求、または、前記スイッチの入力を前記第１の同期信号から前記第２の同期信号へ切り替える旨を示す第２の切替要求を受け付け、前記タイミング信号に応じて、前記スイッチの入力を現在選択している同期信号から他方の同期信号に切り替える同期信号制御部と、を有し、
前記同期信号制御部は、前記第１の切替要求を受け付けた場合に、前記周波数の変更要求を前記同期信号設定部に供給する、映像処理装置。
【請求項３】
請求項２に記載の映像処理装置において、
リセット要求に応じて、前記第１の同期信号に基づいて前記同期信号生成部の前記第２の同期信号の出力タイミングをリセットする同期信号リセット部を、さらに有し、
前記同期信号制御部は、前記第２の切替要求を受け付けると、前記リセット要求を前記同期信号リセット部に供給する、映像処理装置。
【請求項４】
請求項１乃至３のいずれか１項に記載の映像処理装置と、
前記映像処理装置が出力した前記出力同期信号および該出力同期信号に基づいて前記メモリから読み出したデータに基づいて映像を表示する表示部と、を有する、表示装置。
【請求項５】
請求項１乃至３のいずれか１項に記載の映像処理装置と、
前記映像処理装置が出力した前記出力同期信号および該出力同期信号に基づいて前記メモリから読み出したデータに基づいて画像を形成する表示部と、
前記表示部が形成した画像を投写する投写光学系と、を有する、プロジェクター。
【請求項６】
映像データを含む映像期間と映像データを含まないブランキング期間とを含むフレームより構成され、該フレーム単位に送信される映像信号と、前記フレームの切り替わりタイミングを示す第１の同期信号とが外部機器より供給される映像処理装置にて行われる映像処理方法であって、
内部クロックに基づいて前記フレームの切り替わりタイミングおよび前記ブランキング期間をそれぞれ示す第２の同期信号を生成し、
前記第１および第２の同期信号をそれぞれ入力とし、該入力のいずれかを選択的に出力するスイッチを用い、前記第１の同期信号に基づいて前記映像信号により示されるデータをメモリに書き込み、前記スイッチの出力である出力同期信号に基づいて前記メモリからデータを読み出し、
前記スイッチの入力を前記第２の同期信号から前記第１の同期信号へ切り替える旨を示す第１の切替要求を受け付けると、前記第１および第２の同期信号の互いの位相が揃っているか否かを判定し、互いの位相が揃っていれば、前記スイッチの入力を前記第２の同期信号から前記第１の同期信号に切り替え、互いの位相が揃っていない場合には、前記第１の同期信号に対する前記第２の同期信号の位相の遅れ時間に基づいて、前記同期信号生成部にて生成される前記第２の同期信号の前記ブランキング期間を増大させた後、前記第１および第２の同期信号の互いの位相が揃ったタイミングで前記スイッチの入力を前記第２の同期信号から前記第１の同期信号に切り替える、映像処理方法。
【発明の詳細な説明】
【技術分野】
【０００１】
本発明は、同期信号に基づいて映像信号を処理する映像処理装置及び映像処理方法に関する。
【背景技術】
【０００２】
一般に、プロジェクターや液晶ディスプレイなどの表示装置は、水平同期信号や垂直同期信号などの同期信号に基づいて映像信号を処理する映像処理装置と、この映像処理装置が出力した同期信号及び映像信号に基づいて映像を表示する表示デバイスとを有する。
図１０に、映像処理装置の一例を示す。この映像処理装置は、メモリ１、メモリ制御部２、同期信号切替制御部３、同期信号生成部４及びスイッチ５を有する。メモリ１は、映像信号Ｓ１をフレーム単位で保持するフレームメモリである。
【０００３】
外部機器が、映像信号Ｓ１と同期信号を映像処理装置に供給する。同期信号は、入力垂直同期信号Ｓ２を含む。入力垂直同期信号Ｓ２は、映像信号Ｓ１から同期分離した信号であってもよい。
メモリ制御部２は、メモリ１へのデータの書き込み動作を制御する書き込み制御部２ａと、メモリ１からのデータの読み出し動作を制御する読み出し制御部２ｂを有する。映像信号Ｓ１がメモリ１に入力され、入力垂直同期信号Ｓ２が書き込み制御部２ａ及びスイッチ５の一方の入力に供給される。
書き込み制御部２ａは、入力垂直同期信号Ｓ２に同期した入力同期タイミングで映像信号Ｓ１に基づくデータをメモリ１に書き込む。読み出し制御部２ｂは、スイッチ５の出力である出力垂直同期信号Ｓ４に同期した出力同期タイミングでデータをメモリ１から読み出す。メモリ１から読み出したデータは、映像信号Ｓ５として表示デバイス６に供給される。
【０００４】
同期信号生成部４は、内部クロックに基づいて内部垂直同期信号Ｓ３を生成する。内部垂直同期信号Ｓ３の周波数は、入力垂直同期信号Ｓ２の周波数と異なる。スイッチ５は、入力垂直同期信号Ｓ２を第１の入力とし、内部垂直同期信号Ｓ３を第２の入力とし、これら入力の一方を選択的に出力する。スイッチ５の出力である出力垂直同期信号Ｓ４は、読み出し制御部２ｂおよび表示デバイス６に供給される。
同期信号切替制御部３は、非同期モードと同期モードのいずれかのモードを示す指示信号に従ってスイッチ５の同期信号の選択動作を制御する。例えば、指示信号が同期モードを示す場合、同期信号切替制御部３は、スイッチ５にて第１の入力を選択させる。スイッチ５にて第１の入力が選択された場合、入力垂直同期信号Ｓ２と出力垂直同期信号Ｓ４が同期している状態でメモリ１に対するデータの書き込み及び読み出しが行われる。
【０００５】
一方、指示信号が非同期モードを示す場合は、同期信号切替制御部３は、スイッチ５にて第２の入力を選択させる。スイッチ５にて第２の入力が選択された場合、内部垂直同期信号Ｓ３と出力垂直同期信号Ｓ４が同期した状態でメモリ１に対するデータの書き込み及び読み出しが行われる。
通常、映像信号を表示デバイスに安定して供給するために、映像処理装置は、非同期モードに設定される。
【０００６】
しかし、非同期モードにおいて、出力垂直同期信号Ｓ４の周波数が内部垂直同期信号Ｓ３の周波数よりも高い場合には、読み出しアドレスが書き込みアドレスを追い越すという現象（追い越し現象）が生じる場合がある。この追い越し現象が生じると、読み出しアドレスが書き込みアドレスを追い越した時点以降は、現フレームよりも１つ前のフレームのデータが読み出されるため、表示デバイス６は、表示映像の上部と下部とで異なるフレームを表示する。このため、例えば、映像信号が動画等の映像が常に変化する信号である場合は、不自然な映像が表示される。なお、映像信号が静止画である場合は、現フレームと１つ前のフレームとの間でデータに差はないので、そのような問題は生じない。
【０００７】
一方、同期モードでは、出力垂直同期信号Ｓ４の周波数は入力垂直同期信号Ｓ２の周波数と一致しているので、上記の追い越し現象は生じない。このことから、通常は、動画を表示する場合は、同期モードに設定し、静止画を表示する場合には、非同期モードに設定するといったモード切り替えが行われる。
上述した映像処理装置の関連技術が特許文献１から３に記載されている。
特許文献１には、外部垂直同期信号と内部垂直同期信号の位相を比較し、その位相差が所定の範囲に入ったタイミングで、外部垂直同期信号から内部垂直同期信号に切り替える垂直同期制御回路が記載されている。
【０００８】
特許文献２には、外部垂直同期信号と内部同期発生回路が出力した内部垂直同期信号との同期をとる同期制御回路が記載されている。同期制御回路は、外部垂直同期信号の立下りタイミングと内部垂直同期信号の立下りタイミングの時間差分を算出する。そして、同期制御回路は、内部垂直同期信号のフィールドの切り替わりタイミングよりも、算出した時間差分だけ前のタイミングで、内部同期発生回路をリセットする。これにより、外部垂直同期信号の立下りタイミングと内部垂直同期信号の立下りタイミングとを一致させることができる。
特許文献３には、垂直帰線期間（垂直ブランキング期間）を利用して表示器の垂直同期周波数を調整する映像表示装置が記載されている。この映像表示装置では、表示器の垂直同期信号を外部垂直同期信号と同期させるために、出力制御部が、垂直ブランキング期間のライン数を増減することで、表示器の垂直同期信号の周波数を調整する。
【先行技術文献】
【特許文献】
【０００９】
【特許文献１】特開２００４−２３５７１５号公報
【特許文献２】特開平９−１６３２９１号公報
【特許文献３】特開２０１１−１１２９０１号公報
【発明の概要】
【発明が解決しようとする課題】
【００１０】
しかし、図１０に示した映像処理装置においては、モードを切り替えた際に、表示映像が乱れることがある。
図１１に、非同期モードから同期モードに切り替える際の入力垂直同期信号Ｓ２、内部垂直同期信号Ｓ３及び出力垂直同期信号Ｓ４の関係を示す。
図１１を参照すると、時刻ｔ１で、内部垂直同期信号Ｓ３のレベルがＬｏｗになり、時刻ｔ１よりも遅い時刻ｔ３で、入力垂直同期信号Ｓ２のレベルがＬｏｗになる。時刻ｔ１から時刻ｔ３の期間Ａ内の時刻ｔ２が切替タイミングである。スイッチ５は、時刻ｔ２の直前まで内部垂直同期信号Ｓ３を選択し（非同期モード）、時刻ｔ２以降は、入力垂直同期信号Ｓ２を選択する（同期モード）。この場合、出力垂直同期信号Ｓ４のレベルは、時刻ｔ１でＬｏｗになり、その後、時刻ｔ３で再びＬｏｗになる。時刻ｔ１から時刻ｔ３の期間Ａは、１フレーム分の映像をメモリ１から読み出すのに必要な時間よりも短い。このため、期間Ａでは、１フレーム分の映像をメモリ１から読み出している途中で、出力垂直同期信号Ｓ４のレベルがＬｏｗになり、データの読み出しが途中でリセットされてしまう。その結果、期間Ａにおいて、表示映像が乱れる。
【００１１】
図１２に、同期モードから非同期モードに切り替える場合の入力垂直同期信号Ｓ２、内部垂直同期信号Ｓ３及び出力垂直同期信号Ｓ４の関係を示す。
図１２を参照すると、時刻ｔ１で、入力垂直同期信号Ｓ２のレベルがＬｏｗになり、時刻ｔ１よりも遅い時刻ｔ２で、内部垂直同期信号Ｓ３のレベルがＬｏｗになる。時刻ｔ２が切替タイミングである。スイッチ５は、時刻ｔ２の直前まで入力垂直同期信号Ｓ２を選択し（同期モード）、時刻ｔ２以降は、内部垂直同期信号Ｓ３を選択する（非同期モード）。この場合、出力垂直同期信号Ｓ４のレベルは、時刻ｔ１でＬｏｗになり、その後、時刻ｔ２で再びＬｏｗになる。時刻ｔ１から時刻ｔ２の期間Ｂは、１フレーム分の映像をメモリ１から読み出すのに必要な時間よりも短い。このため、上記の期間Ａと同様、期間Ｂでも、表示映像が乱れる。
【００１２】
特許文献１に記載の垂直同期制御回路によれば、外部垂直同期信号と内部垂直同期信号の位相差が所定の範囲に入ったタイミングで、外部垂直同期信号から内部垂直同期信号に切り替えることができるので、上記の期間Ｂにおける表示映像の乱れを抑制することができる。しかし、この垂直同期制御回路は、非同期モードから同期モードへの切り替えには対応していないため、上記の期間Ａにおける表示映像の乱れを抑制することは困難である。
特許文献２に記載の同期制御回路によれば、内部同期発生回路をリセットすることで、外部垂直同期信号の立下りタイミングと内部垂直同期信号の立下りタイミングとを一致させることができるので、上記の期間Ｂにおける表示映像の乱れを抑制することができる。しかし、非同期モードから同期モードに切り替える場合に、外部垂直同期信号の立下りタイミングで内部同期発生回路をリセットすると、上記の期間Ａにおける表示映像の乱れが生じる場合がある。
特許文献３に記載の映像表示装置は、外部垂直同期信号に内部垂直同期信号を同期させるものであり、外部垂直同期信号と内部垂直同期信号の間で同期信号の切り替えは行われない。このため、この映像表示装置では、上記の期間Ａ、Ｂの映像の乱れを抑制することは困難である。
【００１３】
本発明の目的は、少なくとも、非同期モードから同期モードに切り替える際に生じる表示映像の乱れを抑制することができる、映像処理装置、映像処理方法、表示装置及びプロジェクターを提供することにある。
【課題を解決するための手段】
【００１４】
上記目的を達成するために、本発明の一態様によれば、
映像データを含む映像期間と映像データを含まないブランキング期間とを含むフレームより構成され、該フレーム単位に送信される映像信号と、前記フレームの切り替わりタイミングを示す第１の同期信号とが外部機器より供給される映像処理装置であって、
内部クロックに基づいて前記フレームの切り替わりタイミングおよび前記ブランキング期間をそれぞれ示す第２の同期信号を生成する同期信号生成部と、
前記第１および第２の同期信号をそれぞれ入力とし、該入力のいずれかを選択的に出力するスイッチと、
メモリを備え、前記第１の同期信号に基づいて前記映像信号により示されるデータが前記メモリに書き込まれ、前記スイッチの出力である出力同期信号に基づいて前記メモリからデータが読み出されるメモリ部と、
前記スイッチの同期信号の切り替え動作および前記同期信号生成部の同期信号の生成動作を制御する制御部と、を有し、
前記制御部は、前記スイッチの入力を前記第２の同期信号から前記第１の同期信号へ切り替える旨を示す第１の切替要求を受け付けると、前記第１および第２の同期信号の互いの位相が揃っているか否かを判定し、互いの位相が揃っていれば、前記スイッチの入力を前記第２の同期信号から前記第１の同期信号に切り替え、互いの位相が揃っていない場合には、前記第１の同期信号に対する前記第２の同期信号の位相の遅れ時間に基づいて、前記同期信号生成部にて生成される前記第２の同期信号の前記ブランキング期間を増大させた後、前記第１および第２の同期信号の互いの位相が揃ったタイミングで前記スイッチの入力を前記第２の同期信号から前記第１の同期信号に切り替える、映像処理装置が提供される。
【００１５】
本発明の別の態様によれば、
上記映像処理装置と、
前記映像処理装置が出力した前記出力同期信号および該出力同期信号に基づいて前記メモリから読み出したデータに基づいて映像を表示する表示部と、を有する、表示装置が提供される。
【００１６】
本発明のさらに別の態様によれば、
上記映像処理装置と、
前記映像処理装置が出力した前記出力同期信号および該出力同期信号に基づいて前記メモリから読み出したデータに基づいて画像を形成する表示部と、
前記表示部が形成した画像を投写する投写光学系と、を有する、プロジェクターが提供される。
【００１７】
本発明の他の態様によれば、映像データを含む映像期間と映像データを含まないブランキング期間とを含むフレームより構成され、該フレーム単位に送信される映像信号と、前記フレームの切り替わりタイミングを示す第１の同期信号とが外部機器より供給される映像処理装置にて行われる映像処理方法であって、
内部クロックに基づいて前記フレームの切り替わりタイミングおよび前記ブランキング期間をそれぞれ示す第２の同期信号を生成し、
前記第１および第２の同期信号をそれぞれ入力とし、該入力のいずれかを選択的に出力するスイッチを用い、前記第１の同期信号に基づいて前記映像信号により示されるデータをメモリに書き込み、前記スイッチの出力である出力同期信号に基づいて前記メモリからデータを読み出し、
前記スイッチの入力を前記第２の同期信号から前記第１の同期信号へ切り替える旨を示す第１の切替要求を受け付けると、前記第１および第２の同期信号の互いの位相が揃っているか否かを判定し、互いの位相が揃っていれば、前記スイッチの入力を前記第２の同期信号から前記第１の同期信号に切り替え、互いの位相が揃っていない場合には、前記第１の同期信号に対する前記第２の同期信号の位相の遅れ時間に基づいて、前記同期信号生成部にて生成される前記第２の同期信号の前記ブランキング期間を増大させた後、前記第１および第２の同期信号の互いの位相が揃ったタイミングで前記スイッチの入力を前記第２の同期信号から前記第１の同期信号に切り替える、映像処理方法が提供される。
【発明の効果】
【００１８】
本発明によれば、非同期モードから同期モードに切り替える際に生じる表示映像の乱れを抑制することができる。
【図面の簡単な説明】
【００１９】
【図１】本発明の第１の実施形態である映像処理装置の構成を示すブロック図である。
【図２】切替タイミング判定部の一例を示す回路図である。
【図３】図２に示す切替タイミング判定部の動作を説明するためのタイミングチャートである。
【図４】垂直同期信号の映像期間、ブランキング期間、同期幅のタイミングの関係を説明するためのタイミングチャートである。
【図５】図１に示す映像処理装置における非同期モードから同期モードに切り替える場合の同期信号の切り替え動作を説明するためのタイミングチャートである。
【図６】図１に示す映像処理装置における同期モードから非同期モードに切り替える場合の同期信号の切り替え動作を説明するためのタイミングチャートである。
【図７】本発明の第２の実施形態である映像処理装置の構成を示すブロック図である。
【図８】図７に示す映像処理装置における同期モードから非同期モードに切り替える場合の同期信号の切り替え動作を説明するためのタイミングチャートである。
【図９】切替タイミング判定部の別の例を示す回路図である。
【図１０】映像処理装置の一例を示すブロック図である。
【図１１】図１０に示す映像処理装置における非同期モードから同期モードに切り替える場合の同期信号の切り替え動作を説明するためのタイミングチャートである。
【図１２】図１０に示す映像処理装置における同期モードから非同期モードに切り替える場合の同期信号の切り替え動作を説明するためのタイミングチャートである。
【発明を実施するための形態】
【００２０】
次に、本発明の実施形態について図面を参照して説明する。
図１は、本発明の第１の実施形態である映像処理装置の構成を示すブロック図である。
図１を参照すると、映像処理装置は、メモリ１、メモリ制御部２、同期信号切替制御部３ａ、同期信号生成部４ａ、スイッチ５ａ、切替タイミング判定部７、同期信号測定部８、位相差測定部９及び同期信号設定部１０を有する。
【００２１】
メモリ１及びメモリ制御部２は、図１０に示したものと同じであり、メモリ部と呼ぶことができる。入力映像信号Ｓ１０と入力垂直同期信号Ｓ１２を含む外部同期信号とが外部機器より映像処理装置に供給される。外部同期信号は、入力映像信号Ｓ１０から同期分離した信号であってもよい。映像信号Ｓ１０および外部同期信号は、アナログ信号およびデジタル信号のいずれであってもよい。
入力映像信号Ｓ１０は、例えばフレーム単位に送信される信号である。フレームは、映像データを含む映像期間と映像データを含まないブランキング期間とを含む。入力垂直同期信号Ｓ１２は、フレームの切り替わりを示す信号であって、映像期間とブランキング期間を特定可能な信号である。例えば、ブランキング期間がフロントポーチ、同期幅（同期期間）およびバックポーチを含む場合、入力垂直同期信号Ｓ１２は、映像期間、フロントポーチ、同期幅、バックポーチそれぞれの期間（ライン数）を示す信号を含む。
【００２２】
書き込み制御部２ａは、入力垂直同期信号Ｓ１２に同期したタイミング（入力同期タイミング）で、映像信号Ｓ１０により示されるデータをメモリ１に書き込む。読み出し制御部２ｂは、出力垂直同期信号Ｓ１５に同期したタイミング（出力同期タイミング）でメモリ１からデータを読み出す。メモリ１から読み出したデータは、映像信号Ｓ１１として表示デバイス６に供給される。表示デバイス６として、液晶ディスプレイ（ＬＣＤ）やマイクロミラーデバイス（ＤＭＤ）などを用いることができる。
同期信号生成部４ａは、内部クロック（固定クロック）に基づいて内部垂直同期信号Ｓ１３を生成する。内部垂直同期信号Ｓ１３の周波数（又は周期）は、入力垂直同期信号Ｓ１２の周波数（又は周期）と異なる。スイッチ５ａは、入力垂直同期信号Ｓ１２を第１の入力とし、内部垂直同期信号Ｓ１３を第２の入力とし、切替指示信号Ｓ１７に従って第１及び第２の入力の一方を選択的に出力する。スイッチ５ａの出力が出力垂直同期信号Ｓ１５である。
【００２３】
同期信号測定部８は、同期信号切替制御部３ａからの測定指示信号に従って動作する。同期信号測定部８は、出力垂直同期信号Ｓ１５の周波数を検出するとともに、出力垂直同期信号Ｓ１５を解析して映像期間、フロントポーチ、同期幅、バックポーチそれぞれの期間を示す同期パラメータを取得する。同期信号測定部８は、周波数検出値および同期パラメータを含む周波数検出信号Ｓ２０を同期信号設定部１０に供給する。
位相差測定部９は、同期信号切替制御部３ａからの検出指示信号に従って動作する。位相差測定部９は、内部垂直同期信号Ｓ１３と出力垂直同期信号Ｓ１５の位相差を検出するとともに、出力垂直同期信号Ｓ１５に対する内部垂直同期信号Ｓ１３の位相の遅れ量（時間）を取得する。位相差測定部９は、位相差の検出結果および位相の遅れ量を含む位相差検出信号Ｓ２１を同期信号設定部１０に供給する。
【００２４】
同期信号設定部１０は、同期信号切替制御部３ａからの設定指示信号に従って動作する。同期信号設定部１０は、周波数検出信号Ｓ２０から取得した同期パラメータを用いて、同期信号生成部４ａにて生成される内部垂直同期信号Ｓ１３の映像期間、フロントポーチ、同期幅、バックポーチそれぞれの期間を設定する。この同期パラメータ設定情報は、同期信号設定部１０に保持される。また、同期信号設定部１０は、周波数検出信号Ｓ２０と位相差検出信号Ｓ２１に基づいて、同期信号生成部４ａにて生成される内部垂直同期信号Ｓ１３の周波数を変更する。周波数を変更した後の同期パラメータ設定情報は、同期信号設定部１０に保持される。
切替タイミング判定部７は、入力垂直同期信号Ｓ１２及び内部垂直同期信号Ｓ１３に基づいて、スイッチ５ａの入力を切り替えるタイミングを判定する。切替タイミング判定部７は、スイッチ５ａの入力を切り替えるタイミングを示す切替タイミング判定信号Ｓ１６を同期信号切替制御部３ａに供給する。
【００２５】
図２は、切替タイミング判定部７の一例を示す回路図である。図２を参照すると、切替タイミング判定部７は、スイッチ７１とＯＲ回路７２を有する。スイッチ７１は、入力垂直同期信号Ｓ１２を第１の入力とし、内部垂直同期信号Ｓ１３を第２の入力とし、これら入力の一方を選択的に出力する。
スイッチ７１は、スイッチ５ａと連動して動作するように構成されている。スイッチ５ａが入力垂直同期信号Ｓ１２を選択している期間は、スイッチ７１は、内部垂直同期信号Ｓ１３を選択する。スイッチ５ａが内部垂直同期信号Ｓ１３を選択している期間は、スイッチ７１は、入力垂直同期信号Ｓ１２を選択する。
ＯＲ回路７２は、スイッチ７１の出力である出力垂直同期信号Ｓ１８を第１の入力とし、スイッチ５ａの出力である出力垂直同期信号Ｓ１５を第２の入力とし、これら入力の論理和を示す信号を出力する。ＯＲ回路７２の出力が、切替タイミング判定信号Ｓ１６として同期信号切替制御部３ａに供給される。
【００２６】
再び、図１を参照する。同期信号切替制御部３ａは、スイッチ５ａ、同期信号測定部８、位相差測定部９および同期信号設定部１０の各動作を制御する。同期信号切替制御部３ａは、モード切り替え要求を受け付け、切替タイミング判定信号Ｓ１６に基づいて、切替指示信号Ｓ１７をスイッチ５ａに供給する。同期信号切替制御部３ａ、同期信号測定部８、位相差測定部９及び同期信号設定部１０からなる部分を制御部と呼ぶことができる。
使用者が不図示の操作部を用いて所定の入力操作を行うことで、モード切り替え要求が操作部から同期信号切替制御部３ａに供給されてもよい。また、入力映像信号Ｓ１０が同期信号切替制御部３ａに供給され、同期信号切替制御部３ａが、入力映像信号Ｓ１０の種別（例えば、動画信号や静止画信号などの種別）に応じてモード切り替え要求を自動的に認識してもよい。例えば、動画信号から静止画信号に切り替わると、同期信号切替制御部３ａは、非同期モードから同期モードへの切り替え要求を受けたと判断する。反対に、静止画信号から動画信号に切り替わると、同期信号切替制御部３ａは、同期モードから非同期モードへの切り替え要求を受けたと判断する。
【００２７】
次に、本実施形態の映像処理装置の動作について詳細に説明する。
（非同期モードから同期モードへの切り替え動作）
まず、非同期モードから同期モードへ切り替える場合について説明する。
映像処理装置は、非同期モードで動作しており、スイッチ５ａは内部垂直同期信号Ｓ１３を選択した状態である。したがって、内部垂直同期信号Ｓ１３である出力垂直同期信号Ｓ１５が、読み出し制御部２ｂ、表示デバイス６及び切替タイミング判定部７に供給されている。
同期信号切替制御部３ａは、非同期モードから同期モードへの切り替え要求を受けると、同期信号測定部８、位相差測定部９および同期信号設定部１０を稼働させる。同期信号測定部８は、周波数検出信号Ｓ２０と位相差検出信号Ｓ２１に基づいて、同期信号生成部４ａにて生成される内部垂直同期信号Ｓ１３の周波数をブランキング期間の範囲内で変更する動作を開始する（垂直同期周波数変更処理）。
【００２８】
一方、切替タイミング判定部７は、モードに関係なく、常時、稼働している。切替タイミング判定部７は、入力垂直同期信号Ｓ１２と内部垂直同期信号Ｓ１３の位相が揃ったときに、非同期モードから同期モードに切り替えるための切替タイミング判定信号Ｓ１６を同期信号切替制御部３ａに供給する（切替タイミング判定処理）。
上記の垂直同期周波数変更処理及び切替タイミング判定処理は同時に実行される。
【００２９】
まず、切替タイミング判定処理について、具体的に説明する。以下では、説明を簡潔にするために、便宜上、垂直同期周波数変更処理は実行されていないものとする。
図３に、非同期モードから同期モードに切り替える場合の入力垂直同期信号Ｓ１２、内部垂直同期信号Ｓ１３及び出力垂直同期信号Ｓ１５の関係を示す。ここでは、内部垂直同期信号Ｓ１３の周波数は入力垂直同期信号Ｓ１２の周波数よりも低い例が示されており、時刻ｔ１に、モード切り替え要求を受け付けたものと仮定する。
図３を参照すると、時刻ｔ１で、スイッチ５ａは、内部垂直同期信号Ｓ１３を出力垂直同期信号Ｓ１５として出力し、スイッチ７１は、入力垂直同期信号Ｓ１２を出力垂直同期信号Ｓ１８として出力する。ＯＲ回路７２は、出力垂直同期信号Ｓ１５と出力垂直同期信号Ｓ１８の論理和を示す切替タイミング判定信号Ｓ１６を出力する。時刻ｔ１時点では、内部垂直同期信号Ｓ１３である出力垂直同期信号Ｓ１５のレベルはＬｏｗであるが、入力垂直同期信号Ｓ１２である出力垂直同期信号Ｓ１８のレベルはＨｉｇｈであるため、切替タイミング判定信号Ｓ１６のレベルはＨｉｇｈである。このため、同期信号切替制御部３ａは、切替指示信号Ｓ１７をスイッチ５ａに供給しない。
【００３０】
時刻ｔ１後、時刻ｔ４の直前までは、切替タイミング判定信号Ｓ１６はＨｉｇｈレベルで維持される。時刻ｔ４で、内部垂直同期信号Ｓ１３である出力垂直同期信号Ｓ１５のレベルと入力垂直同期信号Ｓ１２である出力垂直同期信号Ｓ１８のレベルは共にＬｏｗになる。その結果、切替タイミング判定信号Ｓ１６のレベルはＨｉｇｈからＬｏｗに遷移する。
切替タイミング判定信号Ｓ１６のレベルがＬｏｗになると、同期信号切替制御部３ａは、切替指示信号Ｓ１７をスイッチ５ａに供給する。スイッチ５ａは、切替指示信号Ｓ１７に従い、内部垂直同期信号Ｓ１３に代えて入力垂直同期信号Ｓ１２を出力垂直同期信号Ｓ１５として出力する。これに連動して、スイッチ７１は、入力垂直同期信号Ｓ１２に代えて内部垂直同期信号Ｓ１３を出力垂直同期信号Ｓ１８として出力する。その結果、入力垂直同期信号Ｓ１２に基づくタイミングで入力映像信号Ｓ１０がメモリ１に書き込まれ、入力垂直同期信号Ｓ１２である出力垂直同期信号Ｓ１５に基づくタイミングでメモリ１から映像信号Ｓ１１が読み出される。
【００３１】
図３に示した切り替え制御によれば、入力垂直同期信号Ｓ１２のレベルと内部垂直同期信号Ｓ１３のレベルが共にＬｏｗになった期間に、すなわち入力垂直同期信号Ｓ１２と内部垂直同期信号Ｓ１３の位相が揃ったときに、非同期モードから同期モードに切り替わる。モード切り替え直後の出力垂直同期信号Ｓ１５の期間Ａとして、１フレーム分の映像をメモリ１から読み出すのに必要な時間を確保できるので、期間Ａにおいて、データの読み出しが途中でリセットされることはない。よって、図１１に示したような表示映像の乱れは生じない。
しかし、切替タイミング判定処理のみでは、モード切替要求を受けたタイミングによっては、入力垂直同期信号Ｓ１２と内部垂直同期信号Ｓ１３の位相が揃うまでに時間を要する場合がある。
【００３２】
例えば、入力垂直同期信号Ｓ１２の垂直周波数が５９Ｈｚ（１６．９５ｍｓｅｃ／フレーム）、内部垂直同期信号Ｓ１３の垂直周波数が６０Ｈｚ（１６．６７ｍｓｅｃ／フレーム）である場合、入力垂直同期信号Ｓ１２に対して、内部垂直同期信号Ｓ１３は、１フレーム毎に、位相差として０．２８ｍｓｅｃずつ位相がずれていく。モード切替要求を受けた時点の入力垂直同期信号Ｓ１２に対する内部垂直同期信号Ｓ１３の位相の遅れ量が１６．４ｍｓｅｃ（映像期間の８００ライン分）である場合、切替タイミング判定処理を行うと、５９フレーム（＝１６．４ｍｓｅｃ／０．２８ｍｓｅｃ）後に、入力垂直同期信号Ｓ１２と内部垂直同期信号Ｓ１３の位相が揃う。このように、位相が揃うまでの時間が長くなる場合がある。
【００３３】
そこで、本実施形態では、切替タイミング判定処理と同時に、垂直同期周波数変更処理が実行される。
以下、垂直同期周波数変更処理を実行した場合の動作を説明する。
図４に、垂直同期信号に含まれる映像期間、ブランキング期間、同期幅それぞれのタイミングを示す。図４において、映像期間Ｔ１とブランキング期間Ｔ２を合わせた期間が１フレーム期間に相当する。ブランキング期間Ｔ２は、フロントポーチ（ＦＰ）Ｔ３、同期幅Ｔ４、および、バックポーチ（ＢＰ）Ｔ５を含む。同期幅Ｔ４の立下りタイミングがフレームの切り替わりタイミングを示す。通常、ブランキング期間Ｔ２（例えば、ＦＰＴ３）を多少変化させても、表示デバイス６の表示映像が乱れることはない。
同期信号設定部１０は、入力垂直同期信号Ｓ１２と出力垂直同期信号Ｓ１５である内部垂直同期信号Ｓ１３の互いの位相が揃うように、内部垂直同期信号Ｓ１３のブランキング期間を増減する。例えば、入力垂直同期信号Ｓ１２に対して内部垂直同期信号Ｓ１３の位相が遅れている場合は、その位相の遅れ分だけ、内部垂直同期信号Ｓ１３のブランキング期間を増大することで、内部垂直同期信号Ｓ１３の周波数を低下させる。その結果、入力垂直同期信号Ｓ１２と内部垂直同期信号Ｓ１３の互いの位相が揃う。
【００３４】
以下に、一例として、位相が遅れている場合における同期信号設定部１０の動作を具体的に説明する。
同期信号設定部１０は、同期信号生成部４ａに現在設定されている内部垂直同期信号Ｓ１３の同期パラメータ設定情報を保持している。同期信号設定部１０は、この同期パラメータ設定情報に基づいて、内部垂直同期信号Ｓ１３の映像期間、ＦＰ、同期幅、ＢＰそれぞれの期間の始まりと終わりのタイミングを取得するとともに、内部垂直同期信号Ｓ１３の周波数を取得することができる。
【００３５】
同期信号設定部１０は、同期信号測定部８から供給された周波数検出信号Ｓ２０に基づいて、入力垂直同期信号Ｓ１２の周波数を取得する。さらに、同期信号設定部１０は、位相差測定部９からの位相差検出信号Ｓ２１に基づいて、入力垂直同期信号Ｓ１２と内部垂直同期信号Ｓ１３の位相差、および入力垂直同期信号Ｓ１２に対する内部垂直同期信号Ｓ１３の位相の遅れ量（時間差）を取得する。そして、同期信号設定部１０は、入力垂直同期信号Ｓ１２の周波数、内部垂直同期信号Ｓ１３の周波数、位相差、及び遅れ量（時間差）に基づいて、所定の期間（所定のフレーム数）内に、垂直同期信号Ｓ１２と内部垂直同期信号Ｓ１３の互いの位相が揃うように、内部垂直同期信号Ｓ１３のＦＰに加算する加算期間（時間）を決定する。
【００３６】
例えば、ＦＰの加算期間は以下のようにして決定することができる。
入力垂直同期信号Ｓ１２と内部垂直同期信号Ｓ１３の位相差に相当する時間差をｔ１、入力垂直同期信号Ｓ１２に対する内部垂直同期信号Ｓ１３の位相の遅れ量（時間差）をｔ２、ＦＰの加算期間（時間）をｔ３とする。入力垂直同期信号Ｓ１２と内部垂直同期信号Ｓ１３の互いの位相が揃うまでに必要なフレーム数（所定のフレーム数）をＦとする。フレーム数Ｆは、
Ｆ＝ｔ２÷（ｔ１＋ｔ３）    （式１）
で与えられる。また、上記式１より、ＦＰの加算期間ｔ３は、
ｔ３＝ｔ２÷Ｆ−ｔ１    （式２）
で与えられる。ここで、フレーム数Ｆは、任意に設定可能である。また、時間差ｔ１は、入力垂直同期信号Ｓ１２と内部垂直同期信号Ｓ１３の位相差、入力垂直同期信号Ｓ１２の周波数および内部垂直同期信号Ｓ１３の周波数に基づいて計算することができる。
【００３７】
図５は、非同期モードから同期モードに切り替える場合の同期信号の切り替え動作を説明するためのタイミングチャートである。この例では、切替タイミング判定処理と垂直同期周波数変更処理とが同時に実行される。フレーム数Ｆは任意の数値であるが、ここでは、一例として、フレーム数Ｆは２に設定されている。
図５を参照すると、時刻ｔ１で、スイッチ５ａは、内部垂直同期信号Ｓ１３を出力垂直同期信号Ｓ１５として出力し、スイッチ７１は、入力垂直同期信号Ｓ１２を出力垂直同期信号Ｓ１８として出力する。ＯＲ回路７２は、出力垂直同期信号Ｓ１５と出力垂直同期信号Ｓ１８の論理和を示す切替タイミング判定信号Ｓ１６を出力する。時刻ｔ１時点では、内部垂直同期信号Ｓ１３である出力垂直同期信号Ｓ１５のレベルはＬｏｗであるが、入力垂直同期信号Ｓ１２である出力垂直同期信号Ｓ１８のレベルはＨｉｇｈであるため、切替タイミング判定信号Ｓ１６のレベルはＨｉｇｈである。このため、同期信号切替制御部３ａは、切替指示信号Ｓ１７をスイッチ５ａに供給しない。
【００３８】
時刻ｔ１後、切替要求を受けると、切替タイミング判定部７が切替タイミング判定処理を実行し、同時に、同期信号設定部１０が垂直同期周波数変更処理を実行する。
時刻ｔ２で、同期信号設定部１０が、２フレーム後に垂直同期信号Ｓ１２と内部垂直同期信号Ｓ１３の互いの位相が揃うように、内部垂直同期信号Ｓ１３のＦＰの期間を増大する。その結果、時刻ｔ２以降の内部垂直同期信号Ｓ１３の周波数は、時刻ｔ２前の内部垂直同期信号Ｓ１３の周波数よりも低くなる。
時刻ｔ１後、時刻ｔ４の直前までは、切替タイミング判定信号Ｓ１６はＨｉｇｈレベルで維持される。時刻ｔ４で、内部垂直同期信号Ｓ１３である出力垂直同期信号Ｓ１５のレベルと入力垂直同期信号Ｓ１２である出力垂直同期信号Ｓ１８のレベルは共にＬｏｗになる。その結果、切替タイミング判定信号Ｓ１６のレベルはＨｉｇｈからＬｏｗに遷移する。
【００３９】
切替タイミング判定信号Ｓ１６のレベルがＬｏｗになると、同期信号切替制御部３ａは、切替指示信号Ｓ１７をスイッチ５ａに供給する。スイッチ５ａは、切替指示信号Ｓ１７に従い、内部垂直同期信号Ｓ１３に代えて入力垂直同期信号Ｓ１２を出力垂直同期信号Ｓ１５として出力する。これに連動して、スイッチ７１は、入力垂直同期信号Ｓ１２に代えて内部垂直同期信号Ｓ１３を出力垂直同期信号Ｓ１８として出力する。その結果、入力垂直同期信号Ｓ１２に基づくタイミングで入力映像信号Ｓ１０がメモリ１に書き込まれ、入力垂直同期信号Ｓ１２である出力垂直同期信号Ｓ１５に基づくタイミングでメモリ１から映像信号Ｓ１１が読み出される。
【００４０】
図５に示した切り替え制御によれば、図３に示した切替タイミング判定処理のみによる切り替え制御と比較して、切替要求を受けてから内部垂直同期信号Ｓ１３から入力垂直同期信号Ｓ１２に切り替わるまでに要する時間を短縮することができる。
例えば、入力垂直同期信号Ｓ１２の垂直周波数を５９Ｈｚ（１６．９５ｍｓｅｃ／フレーム）とし、内部垂直同期信号Ｓ１３の周波数を６０Ｈｚ（１６．６７ｍｓｅｃ／フレーム）とする。入力垂直同期信号Ｓ１２と内部垂直同期信号Ｓ１３の位相差に相当する時間差ｔ１を０．２８ｍｓｅｃとする。この場合、内部垂直同期信号Ｓ１３は、入力垂直同期信号Ｓ１２に対して、１フレーム毎に０．２８ｍｓｅｃずつ離れていくことになる。
【００４１】
内部垂直同期信号Ｓ１３において、映像期間は８００ライン、ＦＰは１ライン、同期幅は３ライン、ＢＰは２４ラインであり、それらの合計である全ライン数は８２８ラインである。１ラインの期間は、６０Ｈｚの場合で、０．０２０１ｍｓｅｃとなる。ブランキング期間は、２８ライン分の０．５６２８ｍｓｅｃである。映像期間は、８００ライン分の１６．０８ｍｓｅｃとなる。
例えば、位相の遅れ量ｔ２が１６．４ｍｓｅｃである場合、図３に示した切替タイミング判定処理のみによる切り替え制御では、切替要求を受けてから５９フレーム（＝１６．４ｍｓｅｃ／０．２８ｍｓｅｃ）後に、切替指示信号Ｓ１７が発生する。
【００４２】
これに対して、図５に示した切り替え制御によれば、例えば、フレーム数Ｆを３０に設定すれば、３０フレーム後に切替指示信号Ｓ１７が発生するため、２９フレーム分の時間短縮が可能である。
上記の場合、ＦＰの加算期間ｔ３は、０．２６７ｍｓｅｃであり、これは、１３ライン分に相当する。同期信号設定部１０は、内部垂直同期信号Ｓ１３のＦＰの期間を１３ライン分だけ増大する。この場合、内部垂直同期信号Ｓ１３において、映像期間は８００ライン、ＦＰは１４ライン、同期幅は３ライン、ＢＰは２４ラインとなり、全ライン数は８４１ラインとなる。内部垂直同期信号Ｓ１３の周波数は、５８Ｈｚ（１７．２４ｍｓｅｃ／フレーム）となる。
【００４３】
なお、フレーム数Ｆが１である場合は、ＦＰの加算期間ｔ３は、
ｔ３＝ｔ２−ｔ１    （式３）
で与えられる。この場合は、同期信号設定部１０は、入力垂直同期信号Ｓ１２と内部垂直同期信号Ｓ１３の位相差、入力垂直同期信号Ｓ１２の周波数、および内部垂直同期信号Ｓ１３の周波数に基づいて時間差ｔ１を計算する。そして、同期信号設定部１０は、入力垂直同期信号Ｓ１２に対する内部垂直同期信号Ｓ１３の位相の遅れ量（時間差）ｔ２から時間差ｔ１を差し引くことで容易にＦＰの加算期間ｔ３を計算する。
なお、フレーム数Ｆは、表示デバイス６の表示領域の構造等を考慮して適宜に設定することが望ましい。
【００４４】
（同期モードから非同期モードへの切り替え動作）
次に、同期モードから非同期モードへ切り替える場合について説明する。
映像処理装置は、同期モードで動作しており、スイッチ５ａは入力垂直同期信号Ｓ１２を選択した状態である。したがって、入力垂直同期信号Ｓ１２である出力垂直同期信号Ｓ１５が、読み出し制御部２ｂ、表示デバイス６及び切替タイミング判定部７に供給されている。なお、同期モードでは、同期信号設定部１０は垂直同期周波数変更処理は実行されない。
【００４５】
図６に、同期モードから非同期モードに切り替える場合の入力垂直同期信号Ｓ１２、内部垂直同期信号Ｓ１３及び出力垂直同期信号Ｓ１５の関係を示す。ここでは、内部垂直同期信号Ｓ１３の周波数は入力垂直同期信号Ｓ１２の周波数よりも低い例が示されており、時刻ｔ１に、モード切り替え要求を受け付けたものと仮定する。
図６を参照すると、時刻ｔ１で、スイッチ５ａは、入力垂直同期信号Ｓ１２を出力垂直同期信号Ｓ１５として出力し、スイッチ７１は、内部垂直同期信号Ｓ１３を出力垂直同期信号Ｓ１８として出力する。ＯＲ回路７２は、出力垂直同期信号Ｓ１５と出力垂直同期信号Ｓ１８の論理和を示す切替タイミング判定信号Ｓ１６を出力する。時刻ｔ１時点では、入力垂直同期信号Ｓ１２である出力垂直同期信号Ｓ１５のレベルはＬｏｗであるが、内部垂直同期信号Ｓ１３である出力垂直同期信号Ｓ１８のレベルはＨｉｇｈであるため、切替タイミング判定信号Ｓ１６のレベルはＨｉｇｈである。このため、同期信号切替制御部３ａは、切替指示信号Ｓ１７をスイッチ５ａに供給しない。
【００４６】
時刻ｔ１後、時刻ｔ５の直前までは、切替タイミング判定信号Ｓ１６はＨｉｇｈレベルで維持される。時刻ｔ５で、入力垂直同期信号Ｓ１２である出力垂直同期信号Ｓ１５のレベルと内部垂直同期信号Ｓ１３である出力垂直同期信号Ｓ１８のレベルは共にＬｏｗになる。その結果、切替タイミング判定信号Ｓ１６のレベルはＨｉｇｈからＬｏｗに遷移する。
切替タイミング判定信号Ｓ１６のレベルがＬｏｗになると、同期信号切替制御部３ａは、切替指示信号Ｓ１７をスイッチ５ａに供給する。スイッチ５ａは、切替指示信号Ｓ１７に従い、入力垂直同期信号Ｓ１２に代えて内部垂直同期信号Ｓ１３を出力垂直同期信号Ｓ１５として出力する。これに連動して、スイッチ７１は、内部垂直同期信号Ｓ１３に代えて入力垂直同期信号Ｓ１２を出力垂直同期信号Ｓ１８として出力する。その結果、入力垂直同期信号Ｓ１２に基づくタイミングで入力映像信号Ｓ１０がメモリ１に書き込まれ、内部垂直同期信号Ｓ１３である出力垂直同期信号Ｓ１５に基づくタイミングでメモリ１から映像信号Ｓ１１が読み出される。
【００４７】
図６に示した切り替え制御によれば、入力垂直同期信号Ｓ１２のレベルと内部垂直同期信号Ｓ１３のレベルが共にＬｏｗになった期間に、すなわち入力垂直同期信号Ｓ１２と内部垂直同期信号Ｓ１３の位相が揃ったときに、同期モードから非同期モードに切り替わる。モード切り替え直後の出力垂直同期信号Ｓ１５の期間Ｂとして、１フレーム分の映像をメモリ１から読み出すのに必要な時間を確保できるので、期間Ｂにおいて、データの読み出しが途中でリセットされることはない。よって、図１２に示したような表示映像の乱れは生じない。
【００４８】
（第２の実施形態）
図７は、本発明の第２の実施形態である映像処理装置の構成を示すブロック図である。
本実施形態の映像処理装置は、同期信号リセット部１１を有する点で、第１の実施形態のものと異なる。図７において、第１の実施形態と同様のものには同じ符号を付している。以下では、第１の実施形態と同じ動作を行う部分についての説明は省略し、構成および動作が異なる部分についてのみ説明する。
【００４９】
スイッチ５ａの出力垂直同期信号Ｓ１５が、同期信号リセット部１１に供給されている。同期信号切替制御部３ａは、同期モードから非同期モードに切り替える旨の切替要求を受け付けると、内部垂直同期信号Ｓ１３の出力タイミングをリセットする旨のリセット要求信号を同期信号リセット部１１に供給する。同期信号リセット部１１は、リセット要求信号に従って、出力垂直同期信号Ｓ１５の立下りタイミングでリセット制御信号を同期信号生成部４ａに供給する。同期信号生成部４ａでは、リセット制御信号を受信したタイミングで、内部垂直同期信号Ｓ１３の出力タイミングがリセットされる。
【００５０】
図８に、同期モードから非同期モードに切り替える場合の入力垂直同期信号Ｓ１２、内部垂直同期信号Ｓ１３及び出力垂直同期信号Ｓ１５の関係を示す。ここでは、内部垂直同期信号Ｓ１３の周波数は入力垂直同期信号Ｓ１２の周波数よりも低い例が示されており、時刻ｔ１の後、時刻ｔ２までの間に、モード切り替え要求を受け付けたものと仮定する。
図８を参照すると、時刻ｔ１で、スイッチ５ａは、入力垂直同期信号Ｓ１２を出力垂直同期信号Ｓ１５として出力し、スイッチ７１は、内部垂直同期信号Ｓ１３を出力垂直同期信号Ｓ１８として出力する。ＯＲ回路７２は、出力垂直同期信号Ｓ１５と出力垂直同期信号Ｓ１８の論理和を示す切替タイミング判定信号Ｓ１６を出力する。時刻ｔ１時点では、入力垂直同期信号Ｓ１２である出力垂直同期信号Ｓ１５のレベルはＬｏｗであるが、内部垂直同期信号Ｓ１３である出力垂直同期信号Ｓ１８のレベルはＨｉｇｈであるため、切替タイミング判定信号Ｓ１６のレベルはＨｉｇｈである。このため、同期信号切替制御部３ａは、切替指示信号Ｓ１７をスイッチ５ａに供給しない。
【００５１】
時刻ｔ１後、同期信号切替制御部３ａは、切替要求を受けると、リセット要求信号を同期信号リセット部１１に供給する。同期信号リセット部１１は、リセット要求信号に応じて、出力垂直同期信号Ｓ１５の立下りタイミングである時刻ｔ２で、リセット制御信号を同期信号生成部４ａに供給する。同期信号生成部４ａは、リセット制御信号を受信したタイミングで、内部垂直同期信号Ｓ１３の出力タイミングをリセットする。その結果、時刻ｔ２で、入力垂直同期信号Ｓ１２である出力垂直同期信号Ｓ１５のレベルと内部垂直同期信号Ｓ１３である出力垂直同期信号Ｓ１８のレベルは共にＬｏｗになり、切替タイミング判定信号Ｓ１６のレベルはＨｉｇｈからＬｏｗに遷移する。
切替タイミング判定信号Ｓ１６のレベルがＬｏｗになると、同期信号切替制御部３ａは、切替指示信号Ｓ１７をスイッチ５ａに供給する。スイッチ５ａは、切替指示信号Ｓ１７に従い、入力垂直同期信号Ｓ１２に代えて内部垂直同期信号Ｓ１３を出力垂直同期信号Ｓ１５として出力する。その結果、入力垂直同期信号Ｓ１２に基づくタイミングで入力映像信号Ｓ１０がメモリ１に書き込まれ、内部垂直同期信号Ｓ１３である出力垂直同期信号Ｓ１５に基づくタイミングでメモリ１から映像信号Ｓ１１が読み出される。
【００５２】
図８に示した切り替え制御によれば、切替要求を受け付けると、瞬時に、出力垂直同期信号Ｓ１５の立下りタイミングで、同期信号生成部４ａの出力タイミングがリセットされ、同期モードから非同期モードに切り替わる。よって、第１の実施形態と比較して、短時間で、モードを切り替えることができ、かつ、図１２に示したような表示映像の乱れを抑制できる。
なお、出力垂直同期信号Ｓ１５に代えて、入力垂直同期信号Ｓ１２が同期信号リセット部１１に供給されてもよい。この場合も、図８に示した切り替え制御と同様の制御が可能である。
本実施形態の映像処理装置において、非同期モードから同期モードに切り替える場合の動作は、第１の実施形態と同様である。
【００５３】
上述した各実施形態の映像処理装置は本発明の一例であり、その構成及び動作は適宜に変更することができる。
例えば、タイミング信号判定部７は、図２に示した構成に限定されない。タイミング信号判定部７は、入力垂直同期信号Ｓ１２のレベルと内部垂直同期信号Ｓ１３のレベルが共にＬｏｗになった期間に、切替タイミング判定信号Ｓ１６のレベルがＬｏｗになるのであれば、どのような構成であってもよい。
図９に、タイミング信号判定部７の別の例を示す。図９を参照すると、タイミング信号判定部７は、ＯＲ回路７２ａよりなる。ＯＲ回路７２ａは、入力垂直同期信号Ｓ１２を第１の入力とし、内部垂直同期信号Ｓ１３を第２の入力とし、これら入力の論理和を示す信号を出力する。ＯＲ回路７２ａの出力信号が、切替タイミング判定信号Ｓ１６として同期信号切替制御部３ａに供給される。
【００５４】
本発明の映像処理装置は、プロジェクターや液晶ディスプレイなどの表示装置全般に適用することができる。例えば、本発明を適用した表示装置は、図１または図７に示した映像処理装置と表示デバイス６を含む。また、本発明を適用したプロジェクターは、図１または図７に示した映像処理装置及び表示デバイス６と、表示デバイス６が形成した画像を投射面に投写する投写光学系とを含む。
【００５５】
また、本発明は、以下の付記１〜６に記載のような形態をとり得るが、これら形態に限定されない。
［付記１］
映像データを含む映像期間と映像データを含まないブランキング期間とを含むフレームより構成され、該フレーム単位に送信される映像信号と、前記フレームの切り替わりタイミングを示す第１の同期信号とが外部機器より供給される映像処理装置であって、
内部クロックに基づいて前記フレームの切り替わりタイミングおよび前記ブランキング期間をそれぞれ示す第２の同期信号を生成する同期信号生成部と、
前記第１および第２の同期信号をそれぞれ入力とし、該入力のいずれかを選択的に出力するスイッチと、
メモリを備え、前記第１の同期信号に基づいて前記映像信号により示されるデータが前記メモリに書き込まれ、前記スイッチの出力である出力同期信号に基づいて前記メモリからデータが読み出されるメモリ部と、
前記スイッチの同期信号の切り替え動作および前記同期信号生成部の同期信号の生成動作を制御する制御部と、を有し、
前記制御部は、前記スイッチの入力を前記第２の同期信号から前記第１の同期信号へ切り替える旨を示す第１の切替要求を受け付けると、前記第１および第２の同期信号の互いの位相が揃っているか否かを判定し、互いの位相が揃っていれば、前記スイッチの入力を前記第２の同期信号から前記第１の同期信号に切り替え、互いの位相が揃っていない場合には、前記第１の同期信号に対する前記第２の同期信号の位相の遅れ時間に基づいて、前記同期信号生成部にて生成される前記第２の同期信号の前記ブランキング期間を増大させた後、前記第１および第２の同期信号の互いの位相が揃ったタイミングで前記スイッチの入力を前記第２の同期信号から前記第１の同期信号に切り替える、映像処理装置。
［付記２］
付記１に記載の映像処理装置において、
前記制御部は、
前記第１および第２の同期信号の互いの位相が揃ったときにタイミング信号を出力する切替タイミング判定部と、
周波数の変更要求に応じて、前記第１および第２の同期信号それぞれの周波数と前記第１および第２の同期信号の位相差とに基づいて、前記位相差に相当する時間差を取得し、前記位相の遅れ時間を前記時間差で除算した値に基づいて、前記同期信号生成部にて生成される前記第２の同期信号の前記ブランキング期間を増大する同期信号設定部と、
前記第１の切替要求、または、前記スイッチの入力を前記第１の同期信号から前記第２の同期信号へ切り替える旨を示す第２の切替要求を受け付け、前記タイミング信号に応じて、前記スイッチの入力を現在選択している同期信号から他方の同期信号に切り替える同期信号制御部と、を有し、
前記同期信号制御部は、前記第１の切替要求を受け付けた場合に、前記周波数の変更要求を前記同期信号設定部に供給する、映像処理装置。
［付記３］
付記２に記載の映像処理装置において、
リセット要求に応じて、前記第１の同期信号に基づいて前記同期信号生成部の前記第２の同期信号の出力タイミングをリセットする同期信号リセット部を、さらに有し、
前記同期信号制御部は、前記第２の切替要求を受け付けると、前記リセット要求を前記同期信号リセット部に供給する、映像処理装置。
［付記４］
付記１乃至３のいずれか１つに記載の映像処理装置と、
前記映像処理装置が出力した前記出力同期信号および該出力同期信号に基づいて前記メモリから読み出したデータに基づいて映像を表示する表示部と、を有する、表示装置。
［付記５］
付記１乃至３のいずれか１つに記載の映像処理装置と、
前記映像処理装置が出力した前記出力同期信号および該出力同期信号に基づいて前記メモリから読み出したデータに基づいて画像を形成する表示部と、
前記表示部が形成した画像を投写する投写光学系と、を有する、プロジェクター。
［付記６］
映像データを含む映像期間と映像データを含まないブランキング期間とを含むフレームより構成され、該フレーム単位に送信される映像信号と、前記フレームの切り替わりタイミングを示す第１の同期信号とが外部機器より供給される映像処理装置にて行われる映像処理方法であって、
内部クロックに基づいて前記フレームの切り替わりタイミングおよび前記ブランキング期間をそれぞれ示す第２の同期信号を生成し、
前記第１および第２の同期信号をそれぞれ入力とし、該入力のいずれかを選択的に出力するスイッチを用い、前記第１の同期信号に基づいて前記映像信号により示されるデータをメモリに書き込み、前記スイッチの出力である出力同期信号に基づいて前記メモリからデータを読み出し、
前記スイッチの入力を前記第２の同期信号から前記第１の同期信号へ切り替える旨を示す第１の切替要求を受け付けると、前記第１および第２の同期信号の互いの位相が揃っているか否かを判定し、互いの位相が揃っていれば、前記スイッチの入力を前記第２の同期信号から前記第１の同期信号に切り替え、互いの位相が揃っていない場合には、前記第１の同期信号に対する前記第２の同期信号の位相の遅れ時間に基づいて、前記同期信号生成部にて生成される前記第２の同期信号の前記ブランキング期間を増大させた後、前記第１および第２の同期信号の互いの位相が揃ったタイミングで前記スイッチの入力を前記第２の同期信号から前記第１の同期信号に切り替える、映像処理方法。
【符号の説明】
【００５６】
１  メモリ
２  メモリ制御部
２ａ  書き込み制御部
２ｂ  読み出し制御部
３ａ  同期信号切替制御部
４ａ  同期信号生成部
５ａ  スイッチ
６  表示デバイス
７  切替タイミング判定部
８  同期信号測定部
９  位相差測定部
１０  同期信号設定部
【図１】
2017169038.tif 000003
【図２】
2017169038.tif 000004
【図３】
2017169038.tif 000005
【図４】
2017169038.tif 000006
【図５】
2017169038.tif 000007
【図６】
2017169038.tif 000008
【図７】
2017169038.tif 000009
【図８】
2017169038.tif 000010
【図９】
2017169038.tif 000011
【図１０】
2017169038.tif 000012
【図１１】
2017169038.tif 000013
【図１２】
2017169038.tif 000014